(57)【要約】【課題】開閉部材の厚さが一定範囲内で増減しても、開閉部材への爪板部による本体ケースの係止固定が可能であるロック機能付きハンドル装置を提供する。【解決手段】  開閉部材の取付孔に本体ケースを押し込むことによって、本体ケースの側壁の爪板部の傾斜カム面が前記取付孔の孔縁部に押されて、爪板部が本体ケースの内部空間に向かって倒れ込み、本体ケースの前端フランジ部の係止面と爪板部の係止面との間に開閉部材を挟み込むことによって、本体ケースを開閉部材に係止固定するようにしたロック機能付きハンドル装置において、  本体ケースの内部空間に倒れこんだ爪板部の先端部が、レバーをアンロック位置に引き上げ回転させたとき、前記レバーのハンドル板部と衝突しないように、前記ハンドル板部の後方端縁部に切欠部を設ける。【選択図】図１
2011169061.tif 000002
【特許請求の範囲】
【請求項１】
前端フランジ部を残して開閉部材の取付孔に嵌め込まれる本体ケースと、前記本体ケースの側壁に形成され、弾性変形して前記取付孔の孔縁部に係止される前記爪板部と、前記本体ケースの前記側壁の軸受孔に側面軸部が軸支され、前記本体ケースの底壁の開口部に挿通され、脚部端面が前記開口部の縁部に当接して、ロック位置の姿勢を保持するレバーと、前記本体ケースの背面側に突き抜ける前記レバーの先端部側に形成され、固定枠体側に設けたロックピンに係脱する凹部と、前記レバーの前端部に設けたハンドル板部と、前記本体ケースの前記底壁と前記レバーの前記ハンドル板部との間に架設され、前記凹部が前記ロックピンに係合するロック位置に向かって前記レバーを回転付勢する姿勢保持用バネとからなり、前記開閉部材の前記取付孔に前記本体ケースを押し込むことによって、前記爪板部の傾斜カム面が前記取付孔の孔縁部に押されて、前記爪板部が前記本体ケースの内部空間に向かって倒れ込み、前記本体ケースの前記前端フランジ部の係止面と前記爪板部の係止面との間に前記開閉部材を挟み込むことによって、前記本体ケースを前記開閉部材に係止固定するようにしたロック機能付きハンドル装置において、
弾性変形して前記本体ケースの内部空間に倒れこんだ前記爪板部の先端部が、前記レバーをアンロック位置に引き上げ回転させたとき、前記レバーの前記ハンドル板部と衝突しないように、前記ハンドル板部の後方端縁部に切欠部を設けたことを特徴とするロック機能付きハンドル装置。
【請求項２】
前記本体ケースの前記側壁の内面側において、前記爪板部の前後両側に手指の保護用リブを突設したことを特徴とする請求項１に記載のロック機能付きハンドル装置。
【発明の詳細な説明】
【技術分野】
【０００１】
本発明は、扉などの開閉部材へ取り付けられ、閉鎖状態において開閉部材を固定枠体に対してロックする機能を備えたハンドル装置に関する。
【背景技術】
【０００２】
特許第３２４７８６８号公報に開示された従来のロック機能付きハンドル装置は、前端フランジ部を残して開閉部材の矩形孔に嵌め込まれる本体ケースと、前記本体ケースの側壁に形成され、弾性変形して前記矩形孔の孔縁部に係止される前記爪板部と、前記本体ケースの前記側壁の軸受孔に側面軸部が軸支され、前記本体ケースの底壁の開口部に挿通され、脚部端面が前記開口部の縁部に当接して、ロック位置の姿勢を保持するレバーと、前記本体ケースの背面側に突き抜ける前記レバーの先端部側に形成され、固定枠体側に設けたロックピンに係脱する凹部と、前記レバーの前端部に設けたハンドル板部と、前記本体ケースの前記底壁と前記レバーの前記ハンドル板部との間に架設され、前記凹部が前記ロックピンに係合するロック位置に向かって前記レバーを回転付勢する姿勢保持用バネとからなり、前記姿勢保持用バネを圧縮コイルバネによって構成し、前記レバーの脚部側面が当接する前記開口部の前記縁部に近接した部位において、前記本体ケースの前記底壁前面に第１のバネ当て部を設け、前記第１のバネ当て部に対して前後方向に対面する部位において、前記ハンドル板部背面に第２のバネ当て部を設け、前記姿勢保持用バネがロック位置においてその中心線が前記本体ケースの前記底壁と直交するように配置し、前記姿勢保持用バネの一方端部を前記第１のバネ当て部に係合させ、前記姿勢保持用バネの他方端部を前記第２のバネ当て部に係合させたものである。
【０００３】
そして、前記開閉部材の前記取付孔に前記本体ケースを押し込むことによって、前記爪板部の傾斜カム面が前記取付孔の孔縁部に押されて、前記爪板部が前記本体ケースの内部空間に向かって倒れ込み、前記本体ケースの前記前端フランジ部の係止面と前記爪板部の係止面との間に前記開閉部材を挟み込むことによって、前記本体ケースを前記開閉部材に係止固定している。
【０００４】
このように構成されたロック機能付きハンドル装置では、前記開閉部材の板厚が厚くなると、弾性変形して前記本体ケースの内部空間に入り込むように倒れ込むことになる。前記レバーの前記ハンドル板部の裏側に位置する前記爪板部にあっては、当該爪板部の先端部が前記ハンドル板部の後方端縁部の裏側に突き出してしまう。
【０００５】
このような状態において、前記レバーをアンロック位置に回転させようとするとき、前記爪板部の前記先端部に前記ハンドル板部の前記後方端縁部が衝突することによって、前記レバーをアンロック位置に回転操作することができない。
そのため、このロック機能付きハンドル装置は、前記開閉部材の板厚が比較的薄いものにした適用することができない。
【先行技術文献】
【特許文献】
【０００６】
【特許文献１】特許第３２４７８６８号公報
【発明の概要】
【発明が解決しようとする課題】
【０００７】
本発明の課題は、レバーをロック位置に姿勢保持するためのバネの収納スペースが縮減できるロック機能付きハンドル装置を提供することである。
【課題を解決するための手段】
【０００８】
請求項１の発明の特徴は、前端フランジ部を残して開閉部材の取付孔に嵌め込まれる本体ケースと、前記本体ケースの側壁に形成され、弾性変形して前記取付孔の孔縁部に係止される前記爪板部と、前記本体ケースの前記側壁の軸受孔に側面軸部が軸支され、前記本体ケースの底壁の開口部に挿通され、脚部端面が前記開口部の縁部に当接して、ロック位置の姿勢を保持するレバーと、前記本体ケースの背面側に突き抜ける前記レバーの先端部側に形成され、固定枠体側に設けたロックピンに係脱する凹部と、前記レバーの前端部に設けたハンドル板部と、前記本体ケースの前記底壁と前記レバーの前記ハンドル板部との間に架設され、前記凹部が前記ロックピンに係合するロック位置に向かって前記レバーを回転付勢する姿勢保持用バネとからなり、前記開閉部材の前記取付孔に前記本体ケースを押し込むことによって、前記爪板部の傾斜カム面が前記取付孔の孔縁部に押されて、前記爪板部が前記本体ケースの内部空間に向かって倒れ込み、前記本体ケースの前記前端フランジ部の係止面と前記爪板部の係止面との間に前記開閉部材を挟み込むことによって、前記本体ケースを前記開閉部材に係止固定するようにしたロック機能付きハンドル装置において、
弾性変形して前記本体ケースの内部空間に倒れこんだ前記爪板部の先端部が、前記レバーをアンロック位置に引き上げ回転させたとき、前記レバーの前記ハンドル板部と衝突しないように、前記ハンドル板部の後方端縁部に切欠部を設けたことである。
【０００９】
請求項２の発明の特徴は、請求項１に記載のロック機能付きハンドル装置の前記構成に加えて、前記本体ケースの前記側壁の内面側において、前記爪板部の前後両側に手指の保護用リブを突設したことである。
【発明の効果】
【００１０】
この構成のロック機能付きハンドル装置では、前記開閉部材の前記取付孔に前記本体ケースを押し込むことによって、前記爪板部の傾斜カム面が前記取付孔の孔縁部に押されて、前記爪板部が前記本体ケースの内部空間に向かって倒れ込み、前記本体ケースの前記前端フランジ部の係止面と前記爪板部の係止面との間に前記開閉部材を挟み込むことによって、前記本体ケースを前記開閉部材に係止固定するようにしたものであるが、請求項１の発明においては、弾性変形して前記本体ケースの内部空間に倒れこんだ前記爪板部の先端部が、前記レバーをアンロック位置に引き上げ回転させたとき、前記レバーの前記ハンドル板部と衝突しないように、前記ハンドル板部の後方端縁部に切欠部を設けてあるため、前記開閉部材の板厚が比較的厚い場合にであっても、前記レバーのアンロック位置に回転操作したとき、倒れ込んだ前記爪板部の先端部と前記レバーの前記ハンドル板部と衝突干渉することがない。
【００１１】
そのため、請求項１の発明のロック機能付きハンドル装置は、前記開閉部材の板厚が比較的厚い場合においても適用することができ、一定範囲内で開閉部材の板厚が変動する実際の使用環境において、高い汎用性を有することになる。
【００１２】
請求項２の発明のロック機能付きハンドル装置では、前記本体ケースの前記側壁の内面側において、前記爪板部の前後両側に手指の保護用リブを突設してあるため、前記本体ケースの内部空間に差し込んだ操作者の手指が、前記本体ケースの内部空間に斜めに突き出した前記爪板部によって、傷つけられることを的確に防護することができる。
【図面の簡単な説明】
【００１３】
【図１】図１は本発明の一実施例に係るロック機能付きハンドル装置の正面図である。
【図２】図２は図１のＡ−Ａ線断面図である。
【図３】図３は図１のロック機能付きハンドル装置の右側面図である。
【図４】図４は図１のＢ−Ｂ線断面図であり、ロック位置におけるレバーと本体ケースの関係位置を示す。
【図５】図５は図１のＢ−Ｂ線断面図であり、アンロック位置におけるレバーと本体ケースの関係位置を示す。
【図６】図６は図１のロック機能付きハンドル装置に使用した姿勢保持用バネの正面図である。
【図７】図７は図６の姿勢保持用バネの右側面図である。
【図８】図８は図６の姿勢保持用バネの平面図である。
【図９】図９は図６の姿勢保持用バネの底面図である。
【図１０】図１０は図６の姿勢保持用バネのロック位置におけるトーション変形状態を示す側面図である。
【図１１】図１１は図６の姿勢保持用バネのアンロック位置におけるトーション変形状態を示す側面図である。
【図１２】図１２は図１のロック機能付きハンドル装置に使用した本体ケースの正面図である。
【図１３】図１３は図１２の本体ケースの背面図である。
【図１４】図１４は図１２の本体ケースの右側面図である。
【図１５】図１５は図１２の本体ケースの平面図である。
【図１６】図１６は図１２のＣ−Ｃ線断面図である。
【図１７】図１７は図１２のＤ−Ｄ線断面図である。
【図１８】図１８は図１のロック機能付きハンドル装置に用いたレバーの正面図である。
【図１９】図１９は図１８のレバーの底面図である。
【図２０】図２０は図１８のレバーの背面図である。
【図２１】図２０は図１８のレバーの右側面図である。
【図２２】図２２は本発明の別の実施例に係るロック機能付きハンドル装置の正面図である。
【図２３】図２３は図２２のロック機能付きハンドル装置の右側面図である。
【図２４】図２４は図２２のロック機能付きハンドル装置の底面図である。
【図２５】図２５は図２２のロック機能付きハンドル装置に用いた本体ケースの平面図である。
【図２６】図２６は図２５の本体ケースの底面図である。
【図２７】図２７は図２５の本体ケースの右側面図である。
【図２８】図２８は図２５のＥ−Ｅ線断面図である。
【図２９】図２９は図２５のＦ−Ｆ線断面図である。
【図３０】図３０は図２２のロック機能付きハンドル装置において、本体ケースの爪板部の形状寸法を変更した場合における図２５のＧ−Ｇ線に沿った爪板部の断面図である。
【図３１】図３１は図２２のロック機能付きハンドル装置において、本体ケースの爪板部の形状寸法を変更した場合における図２５のＨ−Ｈ線に沿った爪板部の断面図である。
【図３２】図３２は図２２のロック機能付きハンドル装置において、本体ケースの爪板部の形状寸法を変更した場合における図２５のＩ−Ｉ線に沿った爪板部の断面図である。
【図３３】図３３は本発明のロック機能付きハンドル装置が取り付けられる開閉部材の取付孔の形状を示す平面図である。
【実施例】
【００１４】
扉である開閉部材１は図示しないヒンジを介して機器本体などの固定枠体（図示していない）に開閉可能に装着される。図４に示したように、開閉部材１にはヒンジから離れた位置に矩形状の取付孔２が形成されており、正面側から本体ケース３が矩形孔２に嵌め込まれる。本体ケース３の前端部には、開閉部材１の正面に当接する矩形状の前端フランジ部４が形成されている。図１から図３に示したように、本体ケース２の左右一対の側壁５，５には、外側へ斜めに突出する爪板部６，が２個ずつ形成されている。
【００１５】
これらの爪板部６，は図２に示したように片持アーム型をしており、開閉部材１の取付孔２に本体ケース３を嵌め込むとき、取付孔２の縁部押されてに一時的に内側へ弾性変形して取付孔２を通過する。そして、通過後に爪板部６，６は弾性復帰し、爪板部６，６と前端フランジ部４とで取付孔２の周囲を挟持して、開閉部材１に本体ケース３を取付ける。
【００１６】
図１８から図２１に示したようにレバー７は、矩形状のハンドル板部８の背面側に左右一対の脚部９，９を突出形成したものであり、各脚部９の外側面には軸部１０が突設され、脚部９，９の先端部端面には、ロックピン１１と係脱する凹部１２が形成されている。ロックピン１１は固定枠体に固着されている。本体ケース３の底壁１３には、左右一対の開口部１４を形成してあり、図４に示したように脚部９，９が挿通される。
ハンドル板部８は、レバー７を図４のロック位置または図５のアンロック位置に回転操作するために使用されるものであり、本体ケース３の全面開放部の約半分ほどを閉塞している。
【００１７】
図１２から図１７に示したように、本体ケース３の左右一対の側壁５，５には、２つの爪板部６，６の間には軸受孔１５，１５が形成されており、これらの軸受孔１５，１５に脚部９，９の軸部１０，１０を挿入することによって、レバー７が本体ケース３に回転可能に軸支される。図４に示したように、凹部１２、２がロックピン１１に係合したロック位置においては、各脚部９の基端部端面が各開口部１４の後方側の縁部１６に当接する。
【００１８】
図３と図２３に示したように、本発明の各実施例においては、各爪板部６は、側壁に２本の縦スリット３２，３２と、これら縦スリット３２，３２の上端部を連結する横スリット３３の間に形成されている。各爪板部６の傾斜カム面２８は、側壁５の外面から斜めに張り出すように形成され、各爪板部６の係止面２９は、傾斜カム面２８の上端部に逆傾斜に形成されている。
【００１９】
各爪板部６の形状寸法は適宜変更することができる。例えば、図２８に表示した寸法関係から図３０に表示した寸法関係に変更した場合、係止面２９の上端と下端との落差寸法が３．２ｍｍから３．４ｍｍに増加するため、各爪板部６が本体ケース３の内部空間へ倒れ込み量が大きくなり、より厚い開閉部材１に対応することができる。
【００２０】
図６から図９に示したように、姿勢保持用バネ１７としては、２個のコイル部１８Ａ，１８Ｂを有するトーション型コイルバネが使用されている。図１２及び図１７に示したように、本体ケース３の底壁１３にはレバー７の脚部９，９が当接する開口部１４の縁部１６に近接した部位において、本体ケース３の底壁１３の前面にＵ字突起状の第１のバネ支持部２２を設け、第１のバネ支持部２２に関して縁部１６の反対側の部位において、ハンドル板部８の背面に第２のバネ支持部２４を設けてある。姿勢保持用バネ１７は、コイル部１８Ａ、１８Ｂの中心軸線がロック位置において本体ケース３の底壁１５と平行になるように配置されている。
【００２１】
姿勢保持用バネ１７にはトーション負荷を与えており、レバー７がロック位置またはアンロック位置に回転するとき、姿勢保持用バネ１７のコイル部１８Ａ、１８Ｂの一方端部から延出した一方の直線部１９Ａ，１９Ｂが、第１のバネ支持部２２，２２内において当該直線部１９Ａ，１９Ｂの軸線周りに回動し、姿勢保持用バネ１７のコイル部１８Ａ，１８Ｂの他方端部から延出した他方の直線部２０Ａ，２０Ｂが、第２のバネ支持部２４内において当該直線部２０Ａ，２０Ｂの軸線周りに回動するようにした。
【００２２】
一方のコイル部１８Ａから延出する一方の直線部１９Ａと他方のコイル部１８Ｂから延出する一方の直線部１９Ｂは断絶しており、先端折り曲げ部２１Ａ，２１Ｂが突き合わされている。一方のコイル部１８Ａから延出する他方の直線部２０Ａと他方のコイル部１８Ｂから延出する他方の直線部２０Ｂは連続している。姿勢保持用バネ１７は無負荷状態では、全体として略菱型形状をなしている。左右２個の第１のバネ支持部２２，２２の間において、本体ケース３の底壁１３には、一方の直線部１９Ａ，１９Ｂの先端折り曲げ部２１Ａ，２１Ｂが挿入される支持孔２３を設けてある。
【００２３】
図２に示したように直線部１９Ａ，１９Ｂの先端折り曲げ部２１Ａ，２１Ｂが支持孔２３に挿入支持されているため、レバー７がロック位置またはアンロック位置に回転するとき、直線部１９Ａ，１９Ｂは第１のバネ支持部２２，２２内で軸線周りに回動しながら捻られ、更にトーション負荷が与えられる。
【００２４】
図１９から図２１に示したようにレバー７のハンドル板部８の背面には、第１のバネ支持部２２に関して前記縁部１６の反対側の部位において、Ｕ字突起状の第２のバネ支持部２４を設けてある。第２のバネ支持部２４には、２個のコイル部１８Ａ，１８Ｂの相連続した他方の直線部２０Ａ，２０Ｂが嵌め込まれている。姿勢保持用バネ１７は、図４に示したようにロック位置においては、コイル部１８Ａ，１８Ｂの中心軸線が本体ケース３の底壁１３と平行になるように配置され、姿勢保持用バネ１７は全体として本体ケース３の前後方向に縦長に整列させられる。
【００２５】
姿勢保持用バネ１７には、図４のロック位置においても一定のトーション負荷が与えられている。レバー７を図４のロック位置から図５のアンロック位置に回転させるとき、姿勢保持用バネ１７の一方の直線部１９Ａ，１９Ｂは第１のバネ支持部２２内において各軸線周りに回動しながら捻られる。レバー７の回転中、姿勢保持用バネ１７の一方の直線部１９Ａ，１９Ｂと他方の直線部２０Ａ，２０Ｂはコイル部１８Ａ，１８Ｂ接近するようにトーション変形させられ、他方の直線部２０Ａ，２０Ｂは第２のバネ支持部２４内においてその軸線周りに回動する。回転当初は図６に示したように菱型を呈した姿勢保持用バネ１７は、少し扁平状に押し潰された格好となり、側面視寸法は図１０から図１１のように短縮されたものとなる。
【００２６】
本実施例では、本体ケース３の底壁１３の背面には、片持ち舌片状の押え板部２５，２５が左右２個設けられており、開閉部材１と固定枠体との間に設けたパッキング部材を圧迫し、固定枠体を密封するようになっている。
【符号の説明】
【００２７】
１    開閉部材
２    取付孔
３    本体ケース
４    前端フランジ部
５    本体ケースの側壁
６    本体ケースの爪板部
７    レバー
８    ハンドル板部
９    レバーの脚部
１０    レバーの軸部
１１    ロックピン
１２    レバーの凹部
１３    本体ケースの底壁
１４    本体ケースの開口部
１５    本体ケースの軸受孔
１６    開口部の縁部
１７    姿勢保持用バネ
１８Ａ  姿勢保持用バネの一方のコイル部
１８Ｂ  姿勢保持用バネの他方のコイル部
１９Ａ  姿勢保持用バネの一方の直線部
１９Ｂ  姿勢保持用バネの一方の直線部
２０Ａ  姿勢保持用バネの他方の直線部
２０Ｂ  姿勢保持用バネの他方の直線部
２１Ａ  姿勢保持用バネの一方の直線部の先端折り曲げ部
２１Ｂ  姿勢保持用バネの一方の直線部の先端折り曲げ部
２２    本体ケース側の第１のバネ支持部
２３    本体ケースの支持孔
２４    レバー側の第２のバネ支持部
２５    押え板部
２６    レバーのハンドル板部材の切欠部
２７    本体ケースの側壁の保護用リブ
２８    本体ケースの爪板部の傾斜カム面
２９    本体ケースの爪板部の係止面
３０    本体ケースの前端フランジ部の係止面
３１    開閉部材の取付孔の孔縁部
３２    本体ケースの側壁の縦スリット
３３    本体ケースの側壁の横スリット
【図１】
2011169061.tif 000003
【図２】
2011169061.tif 000004
【図３】
2011169061.tif 000005
【図４】
2011169061.tif 000006
【図５】
2011169061.tif 000007
【図６】
2011169061.tif 000008
【図７】
2011169061.tif 000009
【図８】
2011169061.tif 000010
【図９】
2011169061.tif 000011
【図１０】
2011169061.tif 000012
【図１１】
2011169061.tif 000013
【図１２】
2011169061.tif 000014
【図１３】
2011169061.tif 000015
【図１４】
2011169061.tif 000016
【図１５】
2011169061.tif 000017
【図１６】
2011169061.tif 000018
【図１７】
2011169061.tif 000019
【図１８】
2011169061.tif 000020
【図１９】
2011169061.tif 000021
【図２０】
2011169061.tif 000022
【図２１】
2011169061.tif 000023
【図２２】
2011169061.tif 000024
【図２３】
2011169061.tif 000025
【図２４】
2011169061.tif 000026
【図２５】
2011169061.tif 000027
【図２６】
2011169061.tif 000028
【図２７】
2011169061.tif 000029
【図２８】
2011169061.tif 000030
【図２９】
2011169061.tif 000031
【図３０】
2011169061.tif 000032
【図３１】
2011169061.tif 000033
【図３２】
2011169061.tif 000034
【図３３】
2011169061.tif 000035